(57)【要約】【課題】画像信号端子を一つしか持たない画像処理装置において、画像信号端子を追加することなく、かつユーザが操作を行うことなく、テレビ放送受信機の性能測定結果を外部装置に出力可能な画像処理装置を提供する。【解決手段】テレビ放送受信機、画像信号端子、及び画像信号処理部にそれぞれ接続されている切替用ＩＣを備え、切替用ＩＣは内部に切替可能な複数の伝送経路を備えている。切替用ＩＣは、画像信号端子から画像信号を入力して画像信号処理部へ出力する、或いはテレビ放送受信機から画像信号を入力して入出力端子へ出力するための信号中継処理を選択的に行う。そしてテレビ放送受信機の性能を測定するための測定用信号をテレビ放送受信機が受信した際に、測定用信号検知部がその検知を行う。測定用信号が検知されると、切替処理部が切替用ＩＣに対して、テレビ放送受信機から入力した画像信号を画像信号端子へ出力するように画像信号の伝送経路の切替を指示する。【選択図】図１
2008199296.tif 000002
【特許請求の範囲】
【請求項１】
テレビ放送信号の受信、及びテレビ放送信号の復調を行い画像信号を出力するテレビ放送受信機と、
外部装置に接続されて画像信号の入出力を行う画像信号端子と、
画像信号を入力し、画像処理を施して原色信号を出力する画像信号処理部と、
を備えた画像処理装置であって、
前記テレビ放送受信機、前記画像信号端子、及び前記画像信号処理部に接続され、前記画像信号端子から前記画像信号処理部へ画像信号を送る経路と、前記テレビ放送受信機から前記画像信号端子へ画像信号を送る経路との何れか一方のみを接続する切替用ＩＣと、
前記テレビ放送受信機により受信したデジタル放送信号が含む情報テーブルの所定の領域に、前記デジタル放送信号が前記テレビ放送受信機の性能を測定するための測定用信号であることを示す所定の情報が含まれているかどうかを確認する測定用信号検知部と、
前記テレビ放送受信機により受信したアナログ放送信号が含む垂直帰線消去期間信号に、前記アナログ放送信号が前記測定用信号であることを示す所定の情報が含まれているかどうかを確認する信号解析部と、
前記測定用信号検知部、或いは前記信号解析部により前記測定用信号が検知されている状態において、前記切替用ＩＣに対して、前記テレビ放送受信機から前記画像信号端子へ画像信号を送る経路の接続を指示する切替処理部と、
を備え、
前記切替処理部が、前記測定用信号検知部、或いは前記信号解析部により前記測定用信号の受信が検知されていない状態において、前記切替用ＩＣに対して、前記画像信号端子から前記画像信号処理部へ画像信号を送る経路の接続を指示すること
を特徴とする画像処理装置。
【請求項２】
放送信号の受信、及び放送信号の復調を行い画像信号を出力する放送受信機と、
外部装置に接続されて画像信号の入出力を行う画像信号端子と、
画像信号を入力し、画像処理を施して原色信号を出力する画像信号処理部と、
を備えた画像処理装置であって、
前記テレビ放送受信機、前記画像信号端子、及び前記画像信号処理部に接続され、前記画像信号端子から前記画像信号処理部へ画像信号を送る経路と、前記放送受信機から前記画像信号端子へ画像信号を送る経路との何れか一方のみを接続する入出力切替手段と、
前記放送受信機の性能を測定するための測定用信号を前記テレビ放送受信機が受信したことを検知する測定用信号検知手段と、
前記測定用信号検知手段により前記測定用信号の受信が検知されている状態において、前記入出力切替手段に対して、前記放送受信機から前記画像信号端子へ画像信号を送る経路の接続を指示する切替指示手段と、
を備えたことを特徴とする画像処理装置。
【請求項３】
前記測定用信号検知手段が、前記放送受信機により受信したデジタル放送信号が含む情報テーブルの所定の領域に、前記デジタル放送信号が測定用信号であることを示す所定の情報が含まれているかどうかを確認し、前記所定の情報が含まれている場合に、受信した前記デジタル放送信号を測定用信号とみなすこと
を特徴とする請求項２に記載の画像処理装置。
【請求項４】
前記放送受信機により受信したアナログ放送信号が含む垂直帰線消去期間信号に、前記アナログ放送信号が測定用信号であることを示す所定の情報が含まれているかどうかを確認し、前記所定の情報が含まれている場合に、受信した前記アナログ放送信号を測定用信号とみなす信号解析手段を備え、
前記切替指示手段が、前記信号解析手段により前記測定用信号の受信が検知されている状態において、前記入出力切替手段に対して、前記テレビ放送受信機から前記画像信号端子へ画像信号を送る経路の接続を指示すること、
を特徴とする請求項２または請求項３に記載の画像処理装置。
【請求項５】
前記切替指示手段が、前記測定用信号検知手段、或いは前記信号解析手段により前記測定用信号の受信が検知されていない状態において、前記入出力切替手段に対して、前記画像信号端子から前記画像信号処理部へ画像信号を送る経路の接続を指示すること
を特徴とする請求項２〜請求項４のいずれかに記載の画像処理装置。
【発明の詳細な説明】
【技術分野】
【０００１】
本発明は、放送信号を受信して表示処理等を行う画像処理装置に関するものであり、特に画像処理装置が備えるテレビ放送受信機の性能測定を行うための信号を受信した際に、テレビ放送受信機が前記信号を復調して得た画像信号を画像解析装置に出力する画像処理装置に関する。
【背景技術】
【０００２】
近年、地上デジタルチューナ機器、或いはＢＳデジタルチューナ機器等のテレビ放送受信機を内蔵する画像処理装置として、デジタルテレビ、ＤＶＤ（Digital Versatile Disk）プレーヤ、或いはＨＤＤ（Hard Disk Drive）レコーダ等の画像処理装置が広く普及している。
【０００３】
これらの画像処理装置が備えるテレビ放送受信機の復調性能を測定する方法として、性能測定用に作成されたテレビ放送信号（以下、「測定用信号」と言う）をテレビ放送受信機に与える方法が知られている。測定用信号は、例えば放送電波の発信が可能な無線装置から送信され、画像処理装置が備えるアンテナにより受信される。受信された測定用信号はテレビ放送受信機に与えられる。テレビ放送受信機は測定用信号の復調処理、増幅処理、分離処理等を行い、画像信号や音声信号等を出力する。このうち画像信号が、映像出力端子により接続された外部のビデオアナライザ等の画像解析装置に送られる。そして画像解析装置が画像信号を解析することにより、テレビ放送受信機の復調性能の測定を行う。
【０００４】
しかしながら、上記のように測定用信号を復調して得られた画像信号をビデオアナライザに出力するためには、画像処理装置が出力用の画像信号端子、例えば出力用ＲＣＡ端子（＝コンポジット端子）等を備えている必要がある。通常、ＤＶＤプレーヤ等の再生装置は出力端子を備えている。しかし逆に、例えば液晶テレビ等の表示装置は、画像信号を入力して表示することを主目的としているため、出力端子を必ずしも備えていない。従ってこのような表示装置に内蔵されているテレビ放送受信機の復調性能を測定用信号を用いて試験する場合、復調により得られた画像信号を外部の画像解析装置に出力することができない。このため、新たに試験用の出力端子を設ける必要があるといった問題があった。
【０００５】
上記に関連して特許文献１においては、衛星放送受信回路を内蔵するデジタル情報記録再生装置であって、出力端子を新たに設けることなく、再生時に外部から誤り率を計測できるデジタル情報記録再生装置が開示されている。
【０００６】
特許文献１のデジタル情報記録再生装置は、再生時にアンテナ方向調整用電圧端子から調整用電圧に誤り率を計測するための誤り発生信号を重畳させるか、両者を切り換えて出力させる。重畳回路は、調整用電圧に誤り発生信号を重畳させる。また切り換え回路は、再生制御信号により調整用電圧と誤り発生信号を切り換える。そしてアンテナ方向調整用電圧端子が、重畳もしくは切り換えられた信号を外部に出力させる。
【０００７】
また上記に関連して特許文献２においては、テープレコーダ等の音響機器であって、外部マイクロフォンの入力ジャックと、イヤホンのための出力ジャックとを１つのジャックで兼用し、スイッチにより選択的に切り換えることが可能であり、かつ小型化を実現可能である音響機器が開示されている。
【０００８】
特許文献２の音響機器は、第１の音声信号を出力する第１の回路と、この第１の回路の動作をオン・オフ制御するスイッチ素子と、音声用の端子と、第２の回路と、上記端子と上記第２の回路の入力端との間の信号ラインに接続されたスイッチ回路とを有している。第１の回路の出力端は上記端子に接続され、第１の状態のときには、上記スイッチ素子により上記第１の回路が動作状態に制御されるとともに、上記スイッチ回路がオフとされて上記第１の回路から出力される音声信号が上記端子に出力される。第２の状態のときには、上記スイッチ素子により上記第１の回路が停止状態に制御されるとともに、上記スイッチ回路がオンとされて上記端子に入力された音声信号が上記第２の回路に入力される。これにより、端子が入力用として働くとともに、出力用としても働く。
【特許文献１】特開平５−２７６５４１号公報
【特許文献２】特開平１０−１３６４８３号公報
【発明の開示】
【発明が解決しようとする課題】
【０００９】
しかしながら、上記特許文献１は、再生時の誤り率を外部から計測するための誤り発生信号を出力するための機構に関するものであり、テレビ放送受信機の復調性能をテストする測定用信号を復調して得られた画像信号の出力には用いることはできないという問題があった。また特許文献２は、音声信号の入出力系統をスイッチにより切り替えるためのものであるが、この切替はユーザが手動で行わなくてはならない。従って測定用信号受信時の画像信号の出力処理に応用したとしても、ユーザは測定用信号を受信するたびにスイッチの切替を行わなければならない。このため作業負担が増加するとともに、切替方法を間違えると画像処理装置がユーザの意図した通りに動作しないという問題があった。
【００１０】
本発明は、上記の問題を鑑みてなされたものであり、画像信号端子を一つしか持たない、或いは出力用の画像信号端子を持たない画像処理装置において、測定用信号を用いたテレビ放送受信機の性能測定を行う際に、新たに画像信号端子を追加することなく、かつユーザ操作を必要とすることなく、測定用信号を復調して得られた画像信号を外部装置に出力することが可能な画像処理装置を提供することを目的とする。
【課題を解決するための手段】
【００１１】
上記目的を達成するために本発明の画像処理装置は、テレビ放送信号の受信、及びテレビ放送信号の復調を行い画像信号を出力するテレビ放送受信機と、外部装置に接続されて画像信号の入出力を行う画像信号端子と、画像信号を入力し、画像処理を施して原色信号を出力する画像信号処理部とを備えた画像処理装置であって、前記テレビ放送受信機、前記画像信号端子、及び前記画像信号処理部に接続され、前記画像信号端子から前記画像信号処理部へ画像信号を送る経路と、前記テレビ放送受信機から前記画像信号端子へ画像信号を送る経路との何れか一方のみを接続する切替用ＩＣと、前記テレビ放送受信機により受信したデジタル放送信号が含む情報テーブルの所定の領域に、前記デジタル放送信号が前記テレビ放送受信機の性能を測定するための測定用信号であることを示す所定の情報が含まれているかどうかを確認する測定用信号検知部と、前記テレビ放送受信機により受信したアナログ放送信号が含む垂直帰線消去期間信号に、前記アナログ放送信号が前記測定用信号であることを示す所定の情報が含まれているかどうかを確認する信号解析部と、前記測定用信号検知部、或いは前記信号解析部により前記測定用信号が検知されている状態において、前記切替用ＩＣに対して、前記テレビ放送受信機から前記画像信号端子へ画像信号を送る経路の接続を指示する切替処理部とを備え、前記切替処理部が、前記測定用信号検知部、或いは前記信号解析部により前記測定用信号の受信が検知されていない状態において、前記切替用ＩＣに対して、前記画像信号端子から前記画像信号処理部へ画像信号を送る経路の接続を指示することを特徴とする。
【００１２】
これによると、本発明の画像処理装置は、アナログ放送或いはデジタル放送を受信するためのテレビ放送受信機と、画像信号の入出力を行うＲＣＡ端子（＝画像信号端子）と、画像信号を液晶モニタ等の表示装置に表示すために画像処理、例えばクロマ処理等を施す画像信号処理部とを備えている。そしてテレビ放送受信機、ＲＣＡ端子、及び画像信号処理部のそれぞれに接続されている切替用ＩＣを備えている。切替用ＩＣは内部に、切替可能な複数の伝送経路を持っている。このため、ＲＣＡ端子から画像信号を入力して画像信号処理部へ出力する、或いはテレビ放送受信機から画像信号を入力してＲＣＡ端子へ出力することが可能である。ただし切替用ＩＣは、一度に使用できる入力部と出力部とが一つのみである。従ってスイッチにより内部で経路変更を行う。これにより、上記画像信号の伝送経路の片方のみを接続し、一つの中継処理のみを選択的に行う。また本発明の画像処理装置は、テレビ放送受信機の性能を測定するための測定用信号をテレビ放送受信機が受信した際に、その検知を行う測定用信号検知部を備えている。測定用信号検知部が測定用信号の受信を検知すると、切替処理部が切替用ＩＣに対して、テレビ放送受信機から入力した画像信号をＲＣＡ端子へ出力するように経路切替の指示を行う。
【００１３】
さらにこれによると、本発明の画像処理装置は、測定用信号検知部が測定用信号の受信を検知する方法として、受信したデジタル放送信号に含まれる所定の情報テーブルを参照する。情報テーブルには、デジタル放送信号に関する各種情報、例えば放送局やチャンネル情報、或いは放送信号の品質情報等が記録されている。この情報テーブルの所定の領域に、本信号が測定用信号であることを示す判別用データが記録されているかどうかの確認を行う。なお判別用データのデータ形式はどのようなものであっても構わないが、測定用信号の発信側と測定用信号検知部との間で同一の判別用データを用いるように、予め取り決めを行っておく必要がある。測定用信号検知部が判別用データを検知すると、受信した信号は測定用信号であると判断され、切替処理部による切替用ＩＣ内部の切替処理が行われる。この結果、テレビ放送受信機からＲＣＡ端子へ画像信号が送信される経路状態となる。
【００１４】
さらにこれによると、本発明の画像処理装置は、測定用信号検知部が測定用信号の受信を検知する方法として、受信したアナログ放送信号に含まれるＶＢＩ（Vertical Blanking Interval：垂直帰線消去期間）信号の内容を信号解析部により解析を行う。ＶＢＩ信号には画像情報以外の情報、例えばデータ多重放送や文字多重放送において送受信される文字情報等が記録されている。このＶＢＩ信号に含まれる情報の中に、本信号が測定用信号であることを示す判別用データが存在するかどうかの検知を信号解析部が行う。信号解析部が判別用データを検知すると、受信した信号は測定用信号であると判断され、切替処理部による切替用ＩＣ内部の切替処理が行われる。この結果、テレビ放送受信機からＲＣＡ端子へ画像信号が送信される経路が接続される。
【００１５】
さらにこれによると、測定用信号検知部、或いは信号解析部が判別用データを検知していない状態において、測定用信号の受信が行われていないと判断される。このため切替処理部による切替用ＩＣ内部の切替処理が行われる。この結果、ＲＣＡ端子から画像信号処理部へ画像信号が送信される経路が接続される。
【００１６】
また上記目的を達成するために本発明の画像処理装置は、放送信号の受信、及び放送信号の復調を行い画像信号を出力する放送受信機と、外部装置に接続されて画像信号の入出力を行う画像信号端子と、画像信号を入力し、画像処理を施して原色信号を出力する画像信号処理部とを備えた画像処理装置であって、前記テレビ放送受信機、前記画像信号端子、及び前記画像信号処理部に接続され、前記画像信号端子から前記画像信号処理部へ画像信号を送る経路と、前記放送受信機から前記画像信号端子へ画像信号を送る経路との何れか一方のみを接続する入出力切替手段と、前記放送受信機の性能を測定するための測定用信号を前記テレビ放送受信機が受信したことを検知する測定用信号検知手段と、前記測定用信号検知手段により前記測定用信号の受信が検知されている状態において、前記入出力切替手段に対して、前記放送受信機から前記画像信号端子へ画像信号を送る経路の接続を指示する切替指示手段とを備えたことを特徴としている。
【００１７】
これによると、本発明の画像処理装置は、アナログ放送或いはデジタル放送を受信するためのテレビ放送受信機と、画像信号の入出力を行う画像信号端子と、画像信号を液晶モニタ等の表示装置に表示すために各種画像処理を施す画像信号処理部とを備えている。そしてテレビ放送受信機、画像信号端子、及び画像信号処理部にそれぞれ接続されている切替用ＩＣ（＝入出力切替手段）を備えている。切替用ＩＣは内部に、切替可能な複数の伝送経路を持っている。このため、画像信号端子から画像信号を入力して画像信号処理部へ出力する、或いはテレビ放送受信機から画像信号を入力して入出力端子へ出力することが可能である。ただし切替用ＩＣは、一度に使用できる入力部と出力部とが一つのみである。従ってスイッチにより内部で伝送経路の切替を行う。これにより、上記画像信号の経路の片方のみを接続し、いずれか一方の中継処理のみを選択的に行う。また本発明の画像処理装置は、テレビ放送受信機の性能を測定するための測定用信号をテレビ放送受信機が受信した際に、その検知を行う測定用信号検知部を備えている。測定用信号検知部が測定用信号の受信を検知すると、切替処理部が切替用ＩＣに対して、テレビ放送受信機から入力した画像信号を画像信号端子へ出力するように経路切替の指示を行う。
【００１８】
また、上記目的を達成するために本発明の画像処理装置は、前記測定用信号検知手段が、前記放送受信機により受信したデジタル放送信号が含む情報テーブルの所定の領域に、前記デジタル放送信号が測定用信号であることを示す所定の情報が含まれているかどうかを確認し、前記所定の情報が含まれている場合に、受信した前記デジタル放送信号を測定用信号とみなすことを特徴としている。
【００１９】
これによると、本発明の画像処理装置は、測定用信号検知部が測定用信号の受信を検知する方法として、受信したデジタル放送信号に含まれる所定の情報テーブルを参照する。情報テーブルには、デジタル放送信号に関する各種情報、例えば放送局やチャンネル情報、或いはデジタル放送信号の品質情報等が記録されている。この情報テーブルの所定の領域に、本信号が測定用信号であることを示す判別用データ（＝測定用信号であることを示す所定の情報）が記録されているかどうかの確認を行う。なお判別用データのデータ形式はいかなるものであっても構わないが、測定用信号の発信側と測定用信号検知部との間で予めデータ形式の取り決めを行っておく必要がある。測定用信号検知部が判別用データを検知すると、受信したデジタル放送信号は測定用信号であると判断され、切替処理部による切替用ＩＣ内部の切替処理が行われる。この結果、テレビ放送受信機から画像信号端子へ画像信号が送信される経路が接続される。
【００２０】
また、上記目的を達成するために本発明の画像処理装置は、前記放送受信機により受信したアナログ放送信号が含む垂直帰線消去期間信号に、前記アナログ放送信号が測定用信号であることを示す所定の情報が含まれているかどうかを確認し、前記所定の情報が含まれている場合に、受信した前記アナログ放送信号を測定用信号とみなす信号解析手段を備え、前記切替指示手段が、前記信号解析手段により前記測定用信号の受信が検知されている状態において、前記入出力切替手段に対して、前記テレビ放送受信機から前記画像信号端子へ画像信号を送る経路の接続を指示すること、
を特徴としている。
【００２１】
これによると、本発明の画像処理装置は、測定用信号検知部が測定用信号の受信を検知する方法として、受信したアナログ放送信号に含まれるＶＢＩ信号の内容を信号解析部が解析を行う。ＶＢＩ信号には画像情報以外の情報、例えばデータ多重放送や文字多重放送において送受信される文字情報等が記録されている。このＶＢＩ信号に含まれる情報の中に、本信号が測定用信号であることを示す判別用データが存在するかどうかの確認を信号解析部が行う。信号解析部が判別用データを検知すると、受信したアナログ放送信号は測定用信号であると判断され、切替処理部による切替用ＩＣ内部の切替処理が行われる。この結果、テレビ放送受信機から画像信号端子へ画像信号が送信される経路が接続される。
【００２２】
また、上記目的を達成するために本発明の画像処理装置は、前記切替指示手段が、前記測定用信号検知手段、或いは前記信号解析手段により前記測定用信号の受信が検知されていない状態において、前記入出力切替手段に対して、前記画像信号端子から前記画像信号処理部へ画像信号を送る経路の接続を指示することを特徴としている。
【００２３】
これによると、測定用信号検知部、或いは信号解析部が判別用データを検知していない状態において、測定用信号の受信が行われていないと判断される。このため切替処理部による切替用ＩＣ内部の切替処理が行われる。この結果、画像信号端子から画像信号処理部へ画像信号が送信される経路が接続される。
【発明の効果】
【００２４】
本発明によれば、テレビ放送受信機、画像信号端子、及び画像信号処理部にそれぞれ接続されている切替用ＩＣが、切替処理部からの指示により画像信号の伝送経路の変更を行う。具体的には切替処理部が、測定用信号検知部が測定用信号を検知した際に、テレビ放送受信機から出力される画像信号を画像信号端子を用いて外部へ出力するように切替用ＩＣに対して切替指示を行う。これにより、テレビ放送受信機が測定用信号より復調した画像信号を装置外部のビデオアナライザ等に出力可能である。また、一つの画像信号端子を用いて入力、或いは出力のどちらを行うかの選択を、測定信号検知部及び切替処理部が行う。このため、ユーザは手動で切替を行う必要がなく、測定用信号を用いた試験を実施する際の利便性が向上する。
【００２５】
また本発明によれば、受信したデジタル放送信号に含まれる所定の情報テーブルを参照し、情報テーブルの所定の領域に判別用データが記録されているかどうかの確認を行う。判別用データが検知されると、受信した信号は測定用信号であると判断され、切替処理部による切替用ＩＣ内部の経路変更が行われる。このため、既存のデジタル放送信号を用いて測定用信号の送受信、および測定用信号受信時の入出力端子の入出力切替処理等を行うことができる。このため画像処理装置が備えるテレビ放送受信機、及び画像信号処理部等に変更を加えることなく、本発明を実施することが可能である。
【００２６】
また本発明によれば、受信したアナログ放送信号に含まれるＶＢＩ信号の解析を行い、ＶＢＩ信号に含まれる情報の中に判別用データが存在するかどうかの確認を行う。判別用データが検知されると、受信した信号は測定用信号であると判断され、切替処理部による切替用ＩＣ内部の経路変更が行われる。このため、既存のアナログ放送信号を用いて測定用信号の送受信、および測定用信号受信時の入出力端子の入出力切替処理等を行うことができる。このため画像処理装置が備えるテレビ放送受信機、及び画像信号処理部等に変更を加えることなく、本発明を実施することが可能である。
【００２７】
また本発明によれば、測定用信号検知部、或いは信号解析部が判別用データを検知していない状態において、画像信号端子から画像信号処理部へ画像信号が送信される経路状態となる。このため、入力用の画像信号端子しか持たない画像処理装置において、入力用の画像信号端子と出力用の画像信号端子とを兼用できるため、新たな画像信号端子の追加を行う必要がない。これにより装置構成の簡略化、及びコストダウンを図ることができる。
【発明を実施するための最良の形態】
【００２８】
以下に本発明の実施形態を、図面を参照しながら説明する。なお、ここで示す実施形態は一例であり、本発明はここに示す実施形態に限定されるものではない。
【００２９】
［実施の形態１］
〈１−１．内部構成について〉
図２は、本発明の第一の実施形態に係るテレビ装置１（＝画像処理装置）を示す構成図である。テレビ装置１は、少なくとも、制御部１１、メモリ１２、テレビ放送受信機１３、デジタルモジュール１４、切替用ＩＣ１５（＝入出力切替手段）、画像信号処理部１６、モニタ１７（＝表示装置）、ＲＣＡ端子１８（＝画像信号端子）、操作ボタン群１９、及びリモコン受信機２０を含むように構成されている。
【００３０】
制御部１１は、テレビ装置１の各部の駆動を制御することにより画像情報処理、例えばコンテンツの録画或いは再生等を統括制御するためのものであり、例えば複数のマイクロプロセッサから構成されている。また制御部１１は、各装置（例えばモニタ１７等）の制御やデータの計算、加工処理等を行なう中枢部分となっている。
【００３１】
メモリ１２は、テレビ装置１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３２】
テレビ放送受信機１３は、外部のアンテナ（不図示）に接続されてデジタル放送、或いはアナログ放送の選局、受信、周波数変換、増幅、復調等を行う。これにより受信した放送信号より、画像信号、或いは音声信号等が得られる。テレビ放送受信機１３は、アナログ方式であればアナログチューナ、映像中間周波増幅回路、復調回路、及び増幅回路等を含むように構成されている。またデジタル方式であれば、デジタルチューナ、誤り訂正部、多重分離部、復号部等を含むように構成されている。なおテレビ放送受信機１３により得られた画像信号は、後述する切替ＩＣ１５及び画像信号処理部１６等に送られる。
【００３３】
デジタルモジュール１４は、テレビ放送受信機１３により受信された放送信号の解析を行い、放送信号の中に、測定用信号であることを示す判別用データ（＝測定用信号であることを示す所定の情報）が存在するかどうかの判定を行うＩＣ（Integrated Circuit−集積回路）である。またデジタルモジュール１４は、この判定結果に基づいて、後述する切替用ＩＣ１５のスイッチング処理を行うスイッチ５２の制御を行う。なお、デジタルモジュール１４が備える各機能部（測定用信号検知部１４ａ〜切替処理部１４ｂ）の詳細については後述する。
【００３４】
切替用ＩＣ１５は、テレビ放送受信機１３より入力した画像信号をＲＣＡ端子１８に出力するための経路の接続と、ＲＣＡ端子１８より入力した画像信号を画像信号処理部１６に出力するための経路の接続とを選択的に行うことにより、画像信号中継処理を行うＩＣである。なお、この二つの経路を同時に接続することはできない。どちらの画像信号中継処理を行うかは、デジタルモジュール１４からの指示により決定される。なお、切替用ＩＣ１５の内部構成の詳細については後述する。
【００３５】
画像信号処理部１６は、テレビ放送受信機１３、或いはＲＣＡ端子１８から入力した画像信号を、モニタ１７に表示するための各種画像処理、例えばクロマ処理（カラーデコードやＹ／Ｃ分離）等を施してモニタ１７に出力する。また画像信号処理部１６は、復調した画像信号に含まれるＶＢＩ信号からＶＢＩデータを復号する役割も持つ。復号に得られたＶＢＩデータは、後述する信号解析部２１ａ等に送られる。モニタ１７は、例えばブラウン管や液晶パネル等を備えた表示装置である。なお、モニタ１７は画像を表示する機能を備えていれば、その表示方式、例えば液晶方式やプラズマ方式等、いかなる方式のものであっても構わない。
【００３６】
ＲＣＡ端子１８は、画像信号の入力或いは出力を行う入出力端子である。本実施形態におけるＲＣＡ端子１８は外部の画像処理装置、例えばＤＶＤプレーヤ等から画像信号を入力し、画像信号処理回路へ送る入力端子の役割を持つ。ただしテレビ放送受信機１３が測定用信号を受信した場合のみ、テレビ放送受信機１３により復調された画像信号を外部装置に出力する出力端子の役割を果たすようになる。なお、この切替はデジタルモジュール１４及び切替用ＩＣ１５によって行われるため、ＲＣＡ端子１８自体は従来と同様のものを使用することが可能である。
【００３７】
操作ボタン群１９は、ユーザがテレビ番組の視聴等の各種指示をテレビ装置１に対して行なうためのものである。操作ボタン群１９により出力された指示は、制御部１１により受け付けられる。指示を受け付けた制御部１１は、指示の内容に基づいて各種処理を行う。
【００３８】
リモコン受信機２０は、リモコン送信機（不図示）から赤外線ＬＥＤ等を用いたリモコン信号を受信し、リモコン信号に含まれる各種情報、例えばリモコンコード等を抽出する。抽出した情報は制御部１１に与えられる。
【００３９】
〈１−２．機能部の構成について〉
【００４０】
ここで、本発明の第一の実施形態に係るテレビ装置１が備える測定用信号受信時の切替処理を構成する各機能部の関係を、図１の機能ブロック図を用いながら説明する。なお図１においては、太線の矢印α１〜矢印α４は画像信号の伝送経路を示している。
【００４１】
図１に示すように本発明の測定用信号受信時の切替処理は少なくとも、テレビ放送受信機１３と、デジタルモジュール１４が備える測定用信号検知部１４ａ（＝測定用信号検知手段）、及び切替処理部１４ｂ（＝切替処理手段）と、切替用ＩＣ１５と、画像信号処理部１６と、ＲＣＡ端子１８とにより構成される。
【００４２】
測定用信号検知部１４ａは、テレビ放送受信機１３がデジタル放送信号を受信した際に、受信したデジタル放送信号の解析を行い、前記信号が測定用信号であるかどうかの判定を行う。なおここでいう測定用信号とは、テレビ放送受信機１３の性能を測定するために作成された放送信号全般を示している。これにより例えば、テレビ放送受信機１３により復調されて得られた画像信号のＳ／Ｎ比等を測定する。なお測定用信号は、テスト用画像を含むテスト専用信号を用いる形態でもよいし、ユーザが視聴する通常の放送信号を流用する形態でもよい。
【００４３】
ただし測定用信号を作成する装置は、測定用信号の一部に、その信号が測定用信号であることを示すデータ（以下、「判別用データ」と言う）を埋め込んで送信する必要がある。この判別用データのデータ構造は任意に設計可能である。この判別用データのデータ構造は、予め測定用信号検知部１４ａにも記録されている。そのため測定用信号検知部１４ａは、テレビ放送受信機１３による信号受信を検知した際に、予め記録されている判別用データのデータ構造に一致するデータが放送信号に含まれているかを確認することにより、測定用信号であるかどうかの判定を行う。
【００４４】
具体的には、デジタル放送信号の内部には、その信号にどのようなプログラムが存在し、またその信号に含まれる各要素（画像要素、音声要素等） がどのプログラムに属しているかを示すテーブル情報であるＰＳＩ (Program Specific Information)が含まれている。代表的なＰＳＩとしては、例えばＰＡＴ(Program Association Table)やＰＭＴ(Program Map Table)等が存在する。これらのＰＳＩは予めデータ構造が定められているが、リザーブ領域（＝仕様上、未使用である空き領域）が存在するものがある。本発明の測定用信号を示す判別用データは、このＰＳＩにおける特定のリザーブ領域等を利用して送信する。
【００４５】
放送信号に判別用データ含まれていることを検知した測定用信号検知部１４ａは、切替処理部１４ｂに対して、切替用ＩＣ１５の制御処理を指示する。この指示を受けた切替処理部１４ｂは、切替用ＩＣ１５に備えられているスイッチ５２を制御することにより、切替用ＩＣ１５内部における画像信号の伝送経路の切替を行う。具体的には図１に示すように、ＲＣＡ端子１８から画像信号処理部１６への信号の伝送を行う伝送経路α１と、テレビ放送受信機１３からＲＣＡ端子１８への信号の伝送を行う伝送経路α２との切替を行う。
【００４６】
ここで、図４〜図６を用いて、切替用ＩＣ１５の内部構成を説明する。図４及び図５は、切替用ＩＣ１５の一部を模式的に表したブロック図である。切替用ＩＣ１５は少なくとも端子Ａ１から端子Ａ６までの六つの端子を備えている。端子Ａ１は信号入力端子であり、テレビ放送受信機１３に接続され、伝送経路α２の一部を構成する。端子Ａ２は、後述するスイッチ回路より送られるスイッチ電流を入力するための端子である。端子Ａ３は、信号入力／出力端子であり、ＲＣＡ端子１８に接続され、伝送経路α１及び伝送経路α２の一部を構成する。端子Ａ４は信号入力端子、端子Ａ５はＧＮＤ端子である。端子Ａ６は信号出力端子であり、画像信号処理部１６に接続され、伝送経路α１の一部を構成する。
【００４７】
切替用ＩＣ１５は内部に、切替部５１を備えている。切替部５１は電気的にＯＦＦ状態、つまり端子Ａ２よりスイッチ電流β１を受けていない状態において、図４に示すようにＬｏｗ側に接続される。この状態においては、端子Ａ３と端子Ａ６とが接続されることとなる。これにより、ＲＣＡ端子１８から端子Ａ３に入力された画像信号を、端子Ａ６から画像信号処理部１６へ出力する伝送経路α１が形成される。
【００４８】
また、切替部５１は電気的にＯＮ状態、つまり端子Ａ２よりスイッチ電流β１を受けている状態において、図５に示すようにＨｉ側に接続される。この状態においては、端子Ａ１と端子Ａ３とが接続されることとなる。これにより、テレビ放送受信機１３から端子Ａ１に入力された画像信号を、端子Ａ３からＲＣＡ端子１８へ出力する伝送経路α２が形成される。
【００４９】
図６は、端子Ａ２に接続されるスイッチ回路の一例を示した回路図である。このスイッチ回路においては、スイッチ５２の制御が切替処理部１４ｂにより行われる。測定用信号検知部１４ａが測定用信号を検知した場合、切替処理部１４ｂはスイッチ５２をＯＮにするための制御信号を送る。これによりトランジスタ５３のベース電極に電流が流れ、ＶＣＣ５４とＧＮＤとが電気的に接続される。そして切替部５１にスイッチ電流β１が流れることにより、切替部５１がＯＦＦ状態からＯＮ状態に変化する。この結果、上記伝送経路α１から伝送経路α２への伝送経路の切替が行われる。
【００５０】
逆に測定用信号検知部１４ａが測定用信号を検知していない状態においては、切替処理部１４ｂはスイッチ５２をＯＦＦにする制御信号を送る。これにより切替部５１へのスイッチ電流β１が遮断され、切替部５１がＯＦＦ状態（図４に示すＬｏｗ側に接続されている状態）に変化する。この結果、上記伝送経路α２から伝送経路α１への伝送経路の切替が行われる。
【００５１】
〈１−３．測定用信号受信時の切替処理について〉
ここで、本発明の第一の実施形態に係るテレビ装置１による測定用信号受信時の切替処理フローを、図１及び図２のブロック図と、図３のフロー図と、図４〜図６のブロック図とを用いながら説明する。
【００５２】
図３は、本発明の第一の実施形態に係る切替処理フローを示したフローチャートである。図３に示すように本処理は、テレビ装置１の電源が起動し、デジタル放送が受信できる状態において任意のタイミングで開始可能である。本処理の開始後、測定用信号検知部１４ａはステップＳ１１０において、テレビ放送受信機１３の受信状態の確認を行う。そして確認の結果、テレビ放送受信機１３がデジタル放送信号を受信中であるかどうかの判定を行う。
【００５３】
ステップＳ１１０において、テレビ放送受信機１３がデジタル放送信号を受信中ではないと判定された場合、再度ステップＳ１１０に移行し、繰り返しデジタル放送信号受信の検知を行う。逆にデジタル放送を受信中であると判定された場合、測定用信号検知部１４ａはステップＳ１２０において、テレビ放送受信機１３により受信中のデジタル放送信号の解析を行う。そしてデジタル放送信号が含む、予め定められた特定のテーブル内に、測定用信号を示す判別用データが含まれているかどうかの確認を行う。
【００５４】
ステップＳ１２０において、測定用信号を示す判別用データが含まれていないと判定された場合、再度ステップＳ１１０に移行し、繰り返しデジタル放送信号受信の検知を行う。逆に判別用データが含まれていると判定された場合、切替処理部１４ｂはステップＳ１３０において、切替用ＩＣ１５に対する伝送経路の切替指示を行う。
【００５５】
具体的には図４〜図６に示すように、切替処理部１４ｂはスイッチ５２をＯＮにする制御信号を送り、切替部５１にスイッチ電流β１を与えることにより、切替部５１の内部がＬｏｗ状態からＨｉ状態に切り替わる。この結果、テレビ放送受信機１３とＲＣＡ端子１８を接続する伝送経路α２が確立される。同時に、伝送経路α１の遮断が行われる。
【００５６】
伝送経路α２が確立された状態でＲＣＡ端子１８は、ステップＳ１４０において、テレビ放送受信機１３が測定用信号を復調して得られた画像信号を伝送経路α２を経由して受け、画像信号を外部装置に出力する。なお図１に示す伝送経路α３がこの出力経路にあたる。ＲＣＡ端子１８より出力された画像信号は、例えば画像信号の解析を行うためのビデオアナライザ等の画像解析装置に送られる。
【００５７】
次に測定用信号検知部１４ａは、ステップＳ１５０において、テレビ放送受信機１３により受信中のデジタル放送信号の解析を行う。そして受信中のデジタル放送信号の内部に、判別用データが含まれているかどうかの確認を行う。
【００５８】
ステップＳ１５０において、判別用データが含まれていると判定された場合、再度ステップＳ１４０に移行し、ＲＣＡ端子１８による画像信号の出力を継続する。逆に判別用データが含まれていないと判定された場合、切替処理部１４ｂはステップＳ１６０において、切替用ＩＣ１５に対する伝送経路の切替指示を行う。
【００５９】
具体的には図４〜図６に示すように、切替処理部１４ｂがスイッチ５２をＯＦＦにする制御信号を送り、切替部５１にスイッチ電流β１を与えないことにより、切替部５１の内部がＨｉ状態からＬｏｗ状態に切り替わる。この結果、テレビ放送受信機１３とＲＣＡ端子１８を接続する伝送経路α２が遮断される。同時に、伝送経路α１の確立が行われる。なお、伝送経路α１が確立された状態においては、ＲＣＡ端子１８は伝送経路３を用いてＤＶＤプレーヤ等の外部装置から画像信号を入力する役割を果たす。
【００６０】
ステップＳ１６０において切替用ＩＣ１５の切替が行われると、再びステップＳ１１０の処理に移行し、測定用信号検知部１４ａによるデジタル放送受信の検知処理を継続して行う。なお本処理は通常、テレビ装置１の電源停止時に終了される。ただし、処理中断指示を受け付ける指示受付部を設けることにより、任意のタイミングで本処理を中断可能とする形態であってもよい。
【００６１】
次に、本発明の第二の実施形態を、図面を参照しながら説明する。なお、ここで示す実施形態は一例であり、本発明はここに示す実施形態に限定されるものではない。
【００６２】
［実施の形態２］
〈２−１．内部構成について〉
図８は、本発明の第二の実施形態に係るテレビ装置１を示す構成図である。なお、実施の形態１と同内容の部材については、同一の符号番号を付加することにより説明を省略する。実施の形態１と異なる部材として、デジタルモジュール１４に代わりマイコン２１が備えられている。
【００６３】
マイコン２１は、テレビ放送受信機１３により復調された画像信号から、画像信号処理部１６が抽出したＶＢＩ信号に含まれるＶＢＩデータの解析を行い、ＶＢＩデータの中に判別用データが存在するかどうかの判定を行うマイクロプロセッサである。アナログテレビジョン放送では、アナログ放送信号における垂直帰線消去期間の信号（ＶＢＩ信号）に付加情報（ＶＢＩデータ）を重畳して伝送するサービスが存在する。例えば文字多重放送、或いはデータ多重放送等がこれにあたる。
【００６４】
従来日本国内で広く用いられているＮＴＳＣ（National Television System Committee）方式のＴＶ信号においては、インタレース方式が採用されている。これによれば、５２５本の水平走査線から成る１枚のフレーム画像が、５２５本の水平走査線のうちの奇数番目の水平走査線から成るフィールド画像と、偶数番目の水平走査線から成るフィールド画像から構成されている。したがって、１枚のフィールド画像は２６２．５本の水平走査線を有していることとなる。
【００６５】
このフィールド画像の２６２．５本の水平走査線のうち、第１番目から第２１番目はＶＢＩと呼ばれ、画像信号が含まれていない領域である。ＶＢＩのうち第１番目から第９番目の水平走査線のデータ領域には、垂直同期信号が記録されている。残りの第１０番から第２１番目の水平走査線のデータ領域は、ＶＢＩデータを送信することが可能な領域となっている。
【００６６】
このＶＢＩ領域に含まれるＶＢＩ信号は、画像信号処理部１６によりＶＢＩデータに復号された後、マイコン２１に送られる。マイコン２１はこのＶＢＩデータの解析を行い、解析結果に基づいて切替用ＩＣ１５の切替処理を行う。なお、マイコン２１が備える各機能部（信号解析部２１ａ〜切替処理部２１ｂ）の詳細については後述する。
【００６７】
〈２−２．機能部の構成について〉
ここで、本発明の第二の実施形態に係る測定用信号受信時の切替処理を構成する各機能部の関係を、図７の機能ブロック図を用いながら説明する。なお、実施の形態１と同内容の部材については、同一の符号番号を付加することにより説明を省略する。実施の形態１と異なる部材として、デジタルモジュール１４に代わりマイコン２１が備えられている。
【００６８】
図７に示すように本発明の測定用信号受信時の切替処理は少なくとも、テレビ放送受信機１３と、マイコン２１が備える信号解析部２１ａ（＝信号解析手段）、及び切替処理部２１ｂ（＝切替処理手段）と、切替用ＩＣ１５と、画像信号処理部１６と、ＲＣＡ端子１８とにより構成される。
【００６９】
信号解析部２１ａは、テレビ放送受信機１３がアナログ放送信号を受信した際に、受信したアナログ放送信号に含まれるＶＢＩデータの解析を行う。テレビ放送受信機１３により受信されたアナログ放送信号は、テレビ放送受信機１３により復調が行われた後、画像信号として伝送経路α４により画像信号処理部１６に送られる。画像信号処理部１６はこの画像信号よりＶＢＩ信号の抽出を行い、ＶＢＩデータの復号を行う。
【００７０】
信号解析部２１ａはこのＶＢＩデータを画像信号処理部１６より受けて解析を行うことにより、ＶＢＩデータの中に判別用データが含まれているかどうかの確認を行う。判別用データが含まれている場合、テレビ放送受信機１３が受信したアナログ放送信号は測定用信号であると判断される。なおここでいう測定用信号とは、実施の形態１と同様、テレビ放送受信機１３の性能を測定するために作成された放送信号全般を示している。
【００７１】
判別用データのデータ構造は、予め信号解析部２１ａにも記録されている。そのため信号解析部２１ａは、画像信号処理部１６よりＶＢＩデータを受信した際に、予め記録されている判別用データのデータ構造に一致するデータがＶＢＩデータに含まれているかを確認することにより、受信中のアナログ放送信号が測定用信号であるかどうかの判定を行う。
【００７２】
ＶＢＩデータに判別用データ含まれていることを検知した測定用信号検知部１４ａは、切替処理部１４ｂに対して、切替用ＩＣ１５のスイッチングを指示する。この指示を受けた切替処理部１４ｂは、切替用ＩＣ１５に備えられているスイッチ５２を制御することにより、切替用ＩＣ１５内部における画像信号の伝送経路の切替を行う。なお、切替用ＩＣ１５による切替処理の詳細については実施の形態１と同内容であるため、ここでは説明を省略する。
【００７３】
〈２−３．測定用信号受信時の切替処理について〉
ここで、本発明の第二の実施形態に係るテレビ装置１による測定用信号受信時の切替処理フローを、図７及び図８のブロック図と、図９のフロー図と、図４〜図６のブロック図とを用いながら説明する。
【００７４】
図９は、本発明の第二の実施形態に係る切替処理フローを示したフローチャートである。図９に示すように本処理は、テレビ装置１の電源が起動し、アナログ放送が受信できる状態において任意のタイミングで開始可能である。本処理の開始後、信号解析部２１ａはステップＳ２１０において、画像信号処理部１６よりＶＢＩデータが送られて来ているかの判定を行う。なおＶＢＩデータは、テレビ放送受信機１３がアナログ放送信号を復調して出力する画像信号から画像信号処理部１６が抽出し、信号解析部２１ａに送られる。
【００７５】
ステップＳ２１０において、画像信号処理部１６よりＶＢＩデータが送られて来ていないと判定された場合、再度ステップＳ１１０に移行し、繰り返しＶＢＩデータの検知処理を行う。逆にＶＢＩ信号が送られてきていると判定された場合、信号解析部２１ａはステップＳ２２０において、送られてきたＶＢＩデータの解析を行う。そしてステップＳ２３０において、ＶＢＩデータの中に、判別用データが含まれているかどうかの確認を行う。
【００７６】
ステップＳ２３０において、判別用データが含まれていないと判定された場合、再度ステップＳ２１０に移行し、繰り返しＶＢＩデータの検知処理を行う。逆に判別用データが含まれていると判定された場合、切替処理部２１ｂはステップＳ２４０において、切替用ＩＣ１５に対する伝送経路の切替指示を行う。
【００７７】
具体的には図４〜図６に示すように、切替処理部２１ｂがスイッチ５２をＯＮにする制御信号を送り、切替部５１にスイッチ電流β１を与えることにより、切替部５１の内部がＬｏｗ状態からＨｉ状態に切り替わる。この結果、テレビ放送受信機１３とＲＣＡ端子１８を接続する伝送経路α２が確立される。併せて、伝送経路α１の遮断が行われる。
【００７８】
伝送経路α２が確立された状態でＲＣＡ端子１８は、ステップＳ２５０において、テレビ放送受信機１３が測定用信号を復調して得られた画像信号を伝送経路α２により受け、画像信号を外部装置に出力する。なお図１に示す伝送経路α３がこの出力経路にあたる。ＲＣＡ端子１８より出力された画像信号は、例えば画像信号の解析を行うためのビデオアナライザ等の画像解析装置に送られる。
【００７９】
次に信号解析部２１ａはステップＳ２６０において、画像信号処理部１６より送られて来るＶＢＩデータの解析を行う。そしてＶＢＩデータの中に、判別用データが含まれているかどうかの確認を行う。
【００８０】
ステップＳ２６０において、判別用データが含まれていると判定された場合、再度ステップＳ２５０に移行し、伝送経路α２及びＲＣＡ端子１８による画像信号の出力を継続する。逆に判別用データが含まれていないと判定された場合、切替処理部１４ｂはステップＳ２７０において、切替用ＩＣ１５に対する伝送経路の切替指示を行う。
【００８１】
具体的には図４〜図６に示すように、切替処理部１４ｂはスイッチ５２をＯＦＦする制御信号を送り、切替部５１にスイッチ電流β１を与えないことにより、切替部５１の内部がＨｉ状態からＬｏｗ状態に切り替わる。この結果、テレビ放送受信機１３とＲＣＡ端子１８を接続する伝送経路α２が遮断される。併せて、伝送経路α１の確立が行われる。
【００８２】
ステップＳ２７０において切替用ＩＣ１５の切替が行われると、再びステップＳ２１０の処理に移行し、信号解析部２１ａによりＶＢＩ信号の解析処理を継続して行う。なお本処理は通常、テレビ装置１の電源停止時に終了される。ただし、処理中断指示を受け付ける指示受付部を設けることにより、任意のタイミングで本処理を中断可能とする形態であってもよい。
【００８３】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００８４】
従って本発明は、以下の形態にも適用可能である。
（Ａ）本実施形態では、切替用ＩＣ１５の出力用端子である端子Ａ６が画像信号処理部１６に接続されているが、端子Ａ６がこれ以外の画像信号を入力可能な装置に接続されている形態でもよい。例えば画像信号記録用のハードディスク等の記録装置、ＤＶＤレコーダ等の光ディスク装置、外部出力用の無線信号発信装置等に接続されている形態であってもよい。
【００８５】
（Ｂ）本実施形態では、テレビ放送受信機１３を備える画像処理装置としてテレビ装置１を例にあげているが、これ以外のテレビ放送受信機内蔵画像処理装置において本発明の切替処理を実施する形態であってもよい。例えばＤＶＤレコーダ、カーナビゲーション装置、ディスプレイ装置、パソコン、ＰＤＡ、携帯電話などで用いる形態であってもよい。
【００８６】
（Ｃ）本実施形態では、画像処理装置が備える入力端子としてＲＣＡ端子を例にあげているが、アナログ端子であれば、これ以外の規格の入力端子を用いて本発明を実施する形態であってもよい。例えばＳ信号の入出力を行うＳ端子、ＲＧＢ信号の入出力を行うＤ端子等を用いる形態であってもよい。
【００８７】
（Ｄ）本実施形態では、切替処理に関わる各種機能部が、マイクロプロセッサ等の演算処理装置上でプログラムを実行することにより実現されているが、各種機能部が複数の回路により実現される形態でもよい。
【００８８】
（Ｅ）本実施形態では、デジタルモジュール１４及びマイコン２１が画像処理装置１の内部に備わっている構成を例として説明したが、デジタルモジュール１４及びマイコン２１に含まれる各機能部の一部或いは全部がネットワークを介して接続された外部装置により実現される形態であってもよい。例えば、複数の画像処理装置を集中管理するネットワークサーバに備えられたマイコンが、測定用信号の検知及び切替指示の発行を行う形態であってもよい。
【００８９】
（Ｆ）本実施形態では、測定用信号としてデジタル放送信号を用いる実施の形態１と、測定用信号としてアナログ放送信号を用いる実施の形態２とを個別に説明しているが、この二つの実施の形態を組み合わせて同時に実施する形態であっても良い。また、判別用データを付加できる放送信号であれば、本実施形態以外の放送信号で本発明を実施する形態でもよい。例えばＣＳ放送、アナログＢＳ放送、ケーブルテレビ放送、インターネットテレビ放送などの放送信号において用いる形態であってもよい。
【図面の簡単な説明】
【００９０】
【図１】は、本発明の第一の実施形態に係る画像処理装置が備える機能部の構成を示す機能ブロック図である。
【図２】は、本発明の第一の実施形態に係る画像処理装置を示す構成図である。
【図３】は、本発明の第一の実施形態に係る切替処理の処理フローを示したフロー図である。
【図４】は、本発明の切替用ＩＣの内部構造を示すブロック図である。
【図５】は、本発明の切替用ＩＣの内部構造を示すブロック図である。
【図６】は、本発明の切替用ＩＣに接続されたスイッチング回路の回路図である。
【図７】は、本発明の第二の実施形態に係る画像処理装置が備える機能部の構成を示す機能ブロック図である。
【図８】は、本発明の第二の実施形態に係る画像処理装置を示す構成図である。
【図９】は、本発明の第二の実施形態に係る切替処理の処理フローを示したフロー図である。
【符号の説明】
【００９１】
１      テレビ装置（画像処理装置）
１３    テレビ放送受信機（放送受信機）
１４ａ  測定用信号検知部（測定用信号検知手段）
１４ｂ  切替処理部（切替指示手段）
１５    切替用ＩＣ（入出力切替手段）
１６    画像信号処理部
１８    ＲＣＡ端子（画像信号端子）
２１ａ  信号解析部（信号解析手段手段）
２１ｂ  切替処理部（切替指示手段）
【図１】
2008199296.tif 000003
【図２】
2008199296.tif 000004
【図３】
2008199296.tif 000005
【図４】
2008199296.tif 000006
【図５】
2008199296.tif 000007
【図６】
2008199296.tif 000008
【図７】
2008199296.tif 000009
【図８】
2008199296.tif 000010
【図９】
2008199296.tif 000011